(57)【特許請求の範囲】
【請求項１】
サスペンションメンバに設けられ車幅方向で対向配置した左右のマウントインシュレータが、それぞれ車体側部材から下方に突設するメンバ取付けピンに取り付けられると共に、当該左右のメンバ取付けピンが、車幅方向に延在するクロスバーによって連結され、且つ当該クロスバーの延在方向途中位置が車体側部材に対し連結部材を介して連結されて当該クロスバーの車幅方向への移動が拘束されるサスペンションメンバ取付け構造であって、
上記連結部材におけるクロスバー側取付け部と車体側取付け部との間に位置する連結部材本体の剛性は、車幅方向に高く且つ車体前後方向に低いことを特徴とするサスペンションメンバ取付け構造。
【請求項２】
サスペンションメンバに設けられ車幅方向で対向配置した左右のマウントインシュレータが、それぞれ車体側部材から下方に突設するメンバ取付けピンに取り付けられると共に、当該左右のメンバ取付けピンが、車幅方向に延在するクロスバーによって連結され、且つ当該クロスバーの延在方向途中位置が車体側部材に対し連結部材を介して連結されて当該クロスバーの車幅方向への移動が拘束されるサスペンションメンバ取付け構造であって、
上記連結部材は、車幅方向に延びる板材からなり、当該板材は、車幅方向からみて、上記クロスバー側取付け部と車体側取付け部との間の全部若しくは一部が車体前後方向に撓んだ形状に成形されていることを特徴とするサスペンションメンバ取付け構造。
【請求項３】
上記クロスバー側取付け部に対し、上記車体側取付け部を、車体前後方向における車体前側にオフセットさせたことを特徴とする請求項２に記載したサスペンションメンバ取付け構造。
【請求項４】
上記連結部材の車体側取付け部は、車体前後方向に延びると共に当該車体前後方向における車体前側が開放された切欠き部を備え、その切欠き部内に挿入されたボルトを介して車体側部材に締結されることを特徴とする請求項２又は請求項３に記載したサスペンションメンバ取付け構造。
【請求項５】
上記連結部材の車体側取付け部は、車体前後方向に延びる長穴を備え、当該長穴における車体前側から遠い位置を貫通するボルトを介して車体側部材に締結されることを特徴とする請求項２又は請求項３に記載したサスペンションメンバ取付け構造。
【請求項６】
上記連結部材のクロスバー側取付け部は、車体前後方向に延びると共に当該車体前後方向における車体後側が開放された切欠き部を備え、その切欠き部内に挿入されたボルトを介してクロスバーに締結されることを特徴とする請求項２〜請求項５のいずれかに記載したサスペンションメンバ取付け構造。
【請求項７】
上記連結部材のクロスバー側取付け部は、車体前後方向に延びる長穴を備え、当該長穴における車体前側に近い位置を貫通するボルトを介してクロスバーに締結されることを特徴とする請求項２〜請求項６のいずれかに記載したサスペンションメンバ取付け構造。
【請求項８】
サスペンションメンバに設けられ車幅方向で対向配置した左右のマウントインシュレータが、それぞれ車体側部材から下方に突設するメンバ取付けピンに取り付けられると共に、当該左右のメンバ取付けピンが、車幅方向に延在するクロスバーによって連結され、且つ当該クロスバーの延在方向途中位置が車体側部材に対し連結部材を介して連結されて当該クロスバーの車幅方向への移動が拘束されるサスペンションメンバ取付け構造であって、
上記連結部材の車体側取付け部は、車体前後方向に延びると共に当該車体前後方向における車体前側が開放された切欠き部を備え、その切欠き部内に挿入されたボルトを介して車体側部材に締結されることを特徴とするサスペンションメンバ取付け構造。
【請求項９】
サスペンションメンバに設けられ車幅方向で対向配置した左右のマウントインシュレータが、それぞれ車体側部材から下方に突設するメンバ取付けピンに取り付けられると共に、当該左右のメンバ取付けピンが、車幅方向に延在するクロスバーによって連結され、且つ当該クロスバーの延在方向途中位置が車体側部材に対し連結部材を介して連結されて当該クロスバーの車幅方向への移動が拘束されるサスペンションメンバ取付け構造であって、
上記連結部材のクロスバー側取付け部は、車体前後方向に延びると共に当該車体前後方向における車体後側が開放された切欠き部を備え、その切欠き部内に挿入されたボルトを介してクロスバーに締結されることを特徴とするサスペンションメンバ取付け構造。
【請求項１０】
上記クロスバーの延在方向途中位置は、車体側部材におけるスペアタイヤパンの下面に上記連結部材を介して支持されることを特徴とする請求項１〜請求項９のいずれかに記載したサスペンションメンバ取付け構造。
【請求項１１】
上記クロスバーの延在方向途中位置は、相互に車幅方向にオフセットして配置される少なくとも２箇所が、上記連結部材を介して車体側部材に支持されることを特徴とする請求項１〜請求項１０のいずれかに記載したサスペンションメンバ取付け構造。
【発明の詳細な説明】
【０００１】
【発明の属する技術分野】
本発明は、車両のサスペンションメンバを支持する車体側のサスペンションメンバ取付け構造に関する。
【０００２】
【従来の技術】
例えば、サスペンションメンバは、クロス部材と左右のサイド部材から構成されて、平面視で略Ｈ形状となっている。そして、上記左右のサイド部材における車体前後方向両端部に対し、軸を上下に向けたマウントインシュレータが固定され、そのマウントインシュレータを介して、サスペンションメンバは車体側部材に弾性支持される。
【０００３】
上記各マウントインシュレータの車体側部材への取付けは、車体側部材から下方に突設するメンバ取付けピンに対し、マウントインシュレータの内筒を固定することで行われる。
このとき、ショートオーバーハングの車体などにあっては、サスペンションメンバの上方若しくはその近傍に、スペアタイヤを格納するスペアタイヤパンが配置される場合がある。この場合には、図８に示すように、上記左右のメンバ取付けピン１が支持される車体側クロスメンバ３が、車幅方向に真っ直ぐ延ばすことができず、当該スペアタイヤパン４部分を避けるように、下面視で図８のように、車体前後方向に湾曲した形状となってしまう。この結果、上記メンバ取付けピン１の左右剛性がその分だけ低くなる。
【０００４】
このような場合には、図８に示すように、左右のメンバ取付けピン１を、車幅方向に延びるクロスバー２で連結すると共に、当該クロスバー２の延在方向途中位置をスペアタイヤパン４下面にボルト５で直接剛結して、上記メンバ取付けピン１の左右剛性を補剛している。
【０００５】
【発明が解決しようとする課題】
一般に、車体の構造は、客室部を比較的丈夫に設計し、その前後の部分で衝撃エネルギーを吸収させることで、客室への衝突の影響を最小限に抑えて乗員の安全を図るクラッシャブル・ボディとなっている。
しかしながら、上記サスペンションメンバ取付け構造にあっては、スペアタイヤパン４が、クロスバー２及びメンバ取付けピン１を通じてサスペンションメンバに連結しているために、後方からの衝突によってスペアタイヤパン４が車体前後方向前方（客室側）に押された場合に、当該スペアタイヤパン４の移動に対し上記クロスバー２が突っ張り、その結果、その分だけ衝撃エネルギーの吸収が小さくなるので、車体の客室部に入力される衝撃加速度が大きくならないよう車体側に工夫を講じていた。
【０００６】
本発明は、上記のような点に着目してなされたもので、メンバ取付けピンの左右剛性を向上させても、クロスバーの延在方向途中位置に連結される車体側部材部分での衝撃エネルギー吸収能の低減を小さく抑えることを課題としている。
【０００７】
【課題を解決するための手段】
上記課題を解決するために、本発明のうち請求項１に記載した発明は、サスペンションメンバに設けられ車幅方向で対向配置した左右のマウントインシュレータが、それぞれ車体側部材から下方に突設するメンバ取付けピンに取り付けられると共に、当該左右のメンバ取付けピンが、車幅方向に延在するクロスバーによって連結され、且つ当該クロスバーの延在方向途中位置が車体側部材に対し連結部材を介して連結されて当該クロスバーの車幅方向への移動が拘束されるサスペンションメンバ取付け構造であって、
上記連結部材におけるクロスバー側取付け部と車体側取付け部との間に位置する連結部材本体の剛性は、車幅方向に高く且つ車体前後方向に低いことを特徴とするものである。
【０００８】
次に、請求項２に記載した発明は、サスペンションメンバに設けられ車幅方向で対向配置した左右のマウントインシュレータが、それぞれ車体側部材から下方に突設するメンバ取付けピンに取り付けられると共に、当該左右のメンバ取付けピンが、車幅方向に延在するクロスバーによって連結され、且つ当該クロスバーの延在方向途中位置が車体側部材に対し連結部材を介して連結されて当該クロスバーの車幅方向への移動が拘束されるサスペンションメンバ取付け構造であって、
上記連結部材は、車幅方向に延びる板材からなり、当該板材は、車幅方向からみて、上記クロスバー側取付け部と車体側取付け部との間の全部若しくは一部が車体前後方向に撓んだ形状に成形されていることを特徴とするものである。
【０００９】
次に、請求項３に記載した発明は、請求項２に記載した構成に対し、上記クロスバー側取付け部に対し、上記車体側取付け部を、車体前後方向における車体前側にオフセットさせたことを特徴とするものである。
次に、請求項４に記載した発明は、請求項２又は請求項３に記載した構成に対し、上記連結部材の車体側取付け部は、車体前後方向に延びると共に当該車体前後方向における車体前側が開放された切欠き部を備え、その切欠き部内に挿入されたボルトを介して車体側部材に締結されることを特徴とするものである。
【００１０】
次に、請求項５に記載した発明は、請求項２又は請求項３に記載した構成に対し、上記連結部材の車体側取付け部は、車体前後方向に延びる長穴を備え、当該長穴における車体前側から遠い位置を貫通するボルトを介して車体側部材に締結されることを特徴とするものである。
次に、請求項６に記載した発明は、請求項２〜請求項５のいずれかに記載した構成に対し、上記連結部材のクロスバー側取付け部は、車体前後方向に延びると共に当該車体前後方向における車体後側が開放された切欠き部を備え、その切欠き部内に挿入されたボルトを介してクロスバーに締結されることを特徴とするものである。
【００１１】
次に、請求項７に記載した発明は、請求項２〜請求項６のいずれかに記載した構成に対し、上記連結部材のクロスバー側取付け部は、車体前後方向に延びる長穴を備え、当該長穴における車体前側に近い位置を貫通するボルトを介してクロスバーに締結されることを特徴とするものである。
次に、請求項８に記載した発明は、サスペンションメンバに設けられ車幅方向で対向配置した左右のマウントインシュレータが、それぞれ車体側部材から下方に突設するメンバ取付けピンに取り付けられると共に、当該左右のメンバ取付けピンが、車幅方向に延在するクロスバーによって連結され、且つ当該クロスバーの延在方向途中位置が車体側部材に対し連結部材を介して連結されて当該クロスバーの車幅方向への移動が拘束されるサスペンションメンバ取付け構造であって、
上記連結部材の車体側取付け部は、車体前後方向に延びると共に当該車体前後方向における車体前側が開放された切欠き部を備え、その切欠き部内に挿入されたボルトを介して車体側部材に締結されることを特徴とするものである。
【００１２】
次に、請求項９に記載した発明は、サスペンションメンバに設けられ車幅方向で対向配置した左右のマウントインシュレータが、それぞれ車体側部材から下方に突設するメンバ取付けピンに取り付けられると共に、当該左右のメンバ取付けピンが、車幅方向に延在するクロスバーによって連結され、且つ当該クロスバーの延在方向途中位置が車体側部材に対し連結部材を介して連結されて当該クロスバーの車幅方向への移動が拘束されるサスペンションメンバ取付け構造であって、
上記連結部材のクロスバー側取付け部は、車体前後方向に延びると共に当該車体前後方向における車体後側が開放された切欠き部を備え、その切欠き部内に挿入されたボルトを介してクロスバーに締結されることを特徴とするものである。
【００１３】
次に、請求項１０に記載した発明は、請求項１〜請求項９のいずれかに記載した構成に対し、上記クロスバーの延在方向途中位置は、車体側部材におけるスペアタイヤパンの下面に上記連結部材を介して支持されることを特徴とするものである。
次に、請求項１１に記載した発明は、請求項１〜請求項１０のいずれかに記載した構成に対し、上記クロスバーの延在方向途中位置は、相互に車幅方向にオフセットして配置される少なくとも２箇所が、上記連結部材を介して車体側部材に支持されることを特徴とするものである。
【００１４】
【発明の効果】
請求項１に係る発明によれば、クロスバーの延在方向途中位置を車体側に連結する連結部材は、車幅方向の剛性が高いので、クロスバーの両端部に連結するメンバ取付けピンの左右剛性は、当該クロスバーによって補剛される。
一方、車体前後方向であって客室側に向かう大きな衝撃が車体に入力されることで、クロスバーの延在方向途中位置を連結する車体側部材が客室側に押されても、連結部材本体の車体前後方向の剛性が低いことから、上記車体側部材が車体前側（すなわち客室側）へ所定量だけ移動するまではクロスバーが突っ張ることが防止される。
【００１５】
また、請求項２に係る発明によれば、連結部材を車幅方向に延びる板材から構成することで当該連結部材の車幅方向の剛性が高く設定される。また、連結部材の本体部分の一部若しくは全部が、側面視において車体前後方向に撓んだ形状となっているため、車体前後方向から車体に入力された大きな衝撃によって、その撓みが側面視で直線上となるまで、クロスバー側取付け部に対し車体側取付け部が車体前後方向に変位可能となる。この結果、上記請求項１に記載した発明と同様な効果を生じる。
【００１６】
上述のように、車体前後方向から車体に入力された大きな衝撃によって、連結部材を連結した車体側部分は客室側に移動するが、請求項３に係る発明によれば、上記大きな衝撃による上記車体側部材の移動によって、クロスバー側取付け部と車体側取付け部とは常に離れる方向に変位することから、通常、連結部材の本体部分の撓みは側面視で曲率が大きくなる方向にのみ変形するようになる。
【００１７】
ここで、上記クロスバー側取付け部に対し上記車体側取付け部を車体前後方向における客室側とは反対方向にオフセットさせた場合には、上記衝撃による上記車体側部材の移動によって、クロスバー側取付け部と車体側取付け部とは一旦接近する方向に相対変位してから離れる方向に相対変位するため、通常、連結部材の本体部分の撓みは、一度曲率が小さくなる方向、つまり連結部材の剛性がが高くなる時期が存在してしまうおそれがある。しかも、クロスバーと上方の車体側部材との上下間隔を大きくとる必要も生じる。このことから、請求項３に係る発明を採用すれば、クロスバーをより車体側部材に近づけて配置可能となり、レイアウト上、有利である。
【００１８】
さらに、請求項４に係る発明によれば、上記撓み部分が真っ直ぐ（曲率が無限大）になって、連結部材を介してクロスバーが突っ張ると、相対的にボルトが切欠き部に沿って客室側に移動し、さらに、衝撃が大きい場合には、ボルトが切欠き部から外れることで車体側部材はより客室側に移動可能となる。
また、請求項５に係る発明によれば、上記撓み部分が真っ直ぐ（曲率が無限大）になって、連結部材を介してクロスバーが突っ張ると、相対的にボルトが長穴に沿って客室側に移動し当該長穴の長径分だけ、衝撃に対して車体側部材の移動が許容可能となる。
【００１９】
また、請求項６に係る発明によれば、上記撓み部分が真っ直ぐ（曲率が無限大）になって、連結部材を介してクロスバーが突っ張ると、ボルトが切欠き部に沿って客室とは反対側に相対的に移動し、さらに、衝撃が大きい場合には、切欠き部からボルトが外れることで車体側部材はより客室側に移動可能となる。
また、請求項７に係る発明によれば、上記撓み部分が真っ直ぐ（曲率が無限大）になって、連結部材を介してクロスバーが突っ張ると、ボルトが長穴に沿って客室とは反対側に相対的に移動し当該長穴の長径分だけ、衝撃に対して車体側部材の移動が許容可能となる。
【００２０】
また、請求項８に係る発明によれば、車体前後方向であって客室側に向かう大きな衝撃が車体に入力されることで、クロスバーの延在方向途中位置を支持する車体側部材が客室側に押されると、相対的にボルトが切欠き部に沿って客室側に移動し、さらに、衝撃が大きい場合には、切欠き部からボルトが外れることで車体側部材はより客室側に移動可能となる。
【００２１】
同様に、請求項９に係る発明によれば、車体前後方向であって客室側に向かう大きな衝撃が車体に入力されることで、クロスバーの延在方向途中位置を支持する車体側部材が客室側に押されると、相対的にボルトが切欠き部に沿って客室とは反対側に移動し、さらに、衝撃が大きい場合には、切欠き部からボルトが外れることで車体側部材はより客室側に移動可能となる。
【００２２】
次に、請求項１０に係る発明によれば、上記クロスバーの上方にスペアタイヤ用パンが配置されることで、メンバ取付けピンを設ける車体側部材の左右剛性が低く設定されていても、クロスバーによって左右剛性が高くなる。
次に、請求項１１に係る発明によれば、クロスバーの延在方向途中位置の連結点が車幅方向にオフセットして配置される少なくとも２箇所となることで、クロスバーが、延在方向途中位置の連結点周りに車体前後方向に向けて回転するように揺動することが防止される。この結果、左右のメンバ取付けピンに対する車体前後方向且つ逆相の入力や、片側のメンバ取付けピンに対する車体前後方向の入力などがあっても、上記クロスバーが抵抗することで、当該メンバ取付けピンの車体前後方向の剛性も向上する。
【００２３】
なお、上記効果の説明では、入力された大きな衝撃によって、メンバ取付けピン部分の車体側部材に対し、クロスバーの延在方向途中位置に連結する車体側部材が客室側に移動する場合を想定して説明しているが、入力された衝撃によって、クロスバーの延在方向途中位置に連結する車体側部材に対し、メンバ取付けピン部分の車体側部材が客室側に移動する場合であっても、本発明は、上記と同様な効果がある。
【００２４】
【発明の実施の形態】
次に、本発明の実施形態について図面を参照しつつ説明する。なお、上記従来例と同様な部品などについては同一の符号を付して説明する。
図１は、本実施形態に係るサスペンションメンバ６、クロスバー２及びメンバ取付けピン１の位置関係を示す概略平面図である。
【００２５】
本実施形態のサスペンションメンバ６は、リアサスペンション装置のサスペンションメンバであって、車幅方向に延びるクロス部材６ａと車体前後方向に延びる左右のサイド部材６ｂとから構成される。その左右の各サイド部材６ｂの延在方向端部には、それぞれ軸を上下に向けたマウントインシュレータ７が設けられている。
【００２６】
なお、図１中左側のマウントインシュレータ７は省略してある。また、符号８はサスペンションリンクを、符号９は車輪をそれぞれ示している。
各マウントインシュレータ７は、外筒側が上記クロス部材６ａに固定されると共に、内筒側が、車体側部材から下方に突設するメンバ取付けピン１に取り付けられる。
【００２７】
ここで、本実施形態では、サスペンションメンバ６の車体前後方向後側上方にスペアタイヤパン４の一部が配置されることで、その車幅方向両側に位置する車体側部材の左右剛性が相対的に低く且つ当該左右剛性が低い車体側部材部分から下方にメンバ取付けピン１が突設しているとする。
その左右のメンバ取付けピン１間が、車幅方向に延在するクロスバー２によって連結されている。クロスバー２は、図２及び図３に示すように、車幅方向に延びるバー本体１０と、そのバー本体１０の両端部にそれぞれ設けられてメンバ取付けピン１を挿入可能なボルト穴１１ａが開口しているピン挿入部１１とから構成される。なお、上記左右のボルト穴１１ａの一方（図２では右側）は車幅方向に長軸を向けた楕円形状のボルト穴となっていて、クロスバー２を左右のメンバ取付けピン１に取り付け易くなっている。
【００２８】
上記バー本体１０の略中央部の左右２箇所が、それぞれ個別の連結部材１２を介してスペアタイヤパン４の下面に連結している。上記連結部材１２は、車幅方向延在する板材から構成される。その連結部材１２は、図４に示すように、一端部（クロスバー側取付け部１３）がバー本体１０の上部に溶接によって固定される。また、他端部（車体側取付け部１４）にはボルト穴１４ａが開口し、そのボルト穴１４ａに挿入されたボルト１６によって、車体側取付け部１４は上記スペアタイヤパン４の下面に締結されている。
【００２９】
連結部材１２におけるクロスバー側取付け部１３と車体側取付け部１４との間の連結部材本体１５は、側面図である図４に示すように、クロスバー側取付け部１３及び車体側取付け部１４の近傍（図４中、Ａ及びＢ）が、それぞれ車体前後方向に折れ曲がるように撓んだ形状に成形されている。
次に、上記構成の作用・効果などについて説明する。
【００３０】
たとえば、上記構成のサスペンションメンバ取付け構造を備えた車両に対して、後方から他の車両が衝突するなどして、車体後部に車体前後方向前方に向かう衝撃が入力されると、スペアタイヤパン４部分は、その衝撃によって客室側に押される。このとき、本実施形態では、クロスバー２に対して相対的にスペアタイヤパン４部分が前方（客室側）に移動すると、図５に示すように、連結部材本体１５部分の撓み部分が側面視において直接状となるまでは、クロスバー２が突っ張ることが防止され、その分だけ客室に入力される衝撃加速度が緩和される。
【００３１】
また、通常走行時において、サスペンションメンバ６に横力が作用して、マウントインシュレータ７を通じて後側のメンバ取付けピン１に横力が入力されても、クロスバー２が突っ張ることで左右剛性が高く設定される。
ここで、上記連結部材１２を車幅方向に延びる板材から構成することで、クロスバー２に横力（車幅方向に向かう力）が入力されても、当該クロスバー２の車幅方向への変位を抑えて、当該連結部材１２は、確実に横力をスペアタイヤパン４に伝達可能となっている。
【００３２】
また、バー本体１０のスペアタイヤパン４への連結点を車幅方向に並ぶ２点としてあることから、クロスバー２の両端部に車体前後方向に向かう荷重が負荷されても、クロスバー２は、連結点周りに車体前後方向に揺動することがない。この結果、当該クロスバー２に連結するメンバ取付けボルト１６の車体前後方向の剛性も、当該クロスバー２によって補剛された構造となっている。
【００３３】
なお、上記メンバ取付けボルト１６の車体前後方向の剛性が低い場合には、例えば車両旋回時におけるサスペンションメンバ６のトーアウトの挙動が、その分だけ大きくなり、つまり車両がオーバステア気味となってしまう。これに対して、本実施形態では、クロスバー２によってメンバ取付けピン１の車体前後方向の剛性が向上してその分だけ上記オーバステア傾向を抑えることが可能となる。
【００３４】
ここで、上記実施形態では、連結部材本体１５における、クロスバー側取付け部１３及び車体側取付け部１４の近傍Ａ、Ｂを、それぞれ車体前後方向に折れ曲がるように撓んだ形状に成形して、その間の部分を側面視で垂直状に設定しているが、これに限定されるわけではない。要は、連結部材本体１５部分が、側面視で車体前後方向に撓んだ形状であれば、他の撓み形状に成形してあっても良い。
【００３５】
また、上記実施形態では、クロスバー側取付け部１３よりも車体側取付け部１４を車体前後方向前方つまり客室側に配置した場合を例に説明しているが、車体側取付け部１４よりもクロスバー側取付け部１３を車体前後方向前方つまり客室側に配置しても良い。この場合、理論的には、クロスバー側取付け部１３に対する車体側取付け部１４の車体前後方向前方（客室側）への相対変位量が大きくなるものの、クロスバー２とスペアタイヤパン４下面との間の上下間隔を大きくとらないと、車体側取付け部１４がクロスバー側取付け部１３よりも前方に移動できないなど、設置スペースなどの点で上記実施形態よりも不利な構造となる。また、クロスバー側取付け部１３と車体側取付け部１４とを車体前後方向のオフセットさせなくても良いが、この場合も、上記と同様にクロスバー２とスペアタイヤパン４下面との間の上下間隔を大きくとる必要があるなどの不利な点がある。
【００３６】
また、上記実施形態では、クロスバー側取付け部１３をクロスバー２に溶接し、車体側取付け部１４をスペアタイヤパン４にボルト締結しているが、連結方法はこれに限定されない。例えば、クロスバー側取付け部１３をクロスバー２にボルト締結し、車体側取付け部１４をスペアタイヤパン４に溶着して連結しても良い。
【００３７】
また、上記車体側取付け部１４に設けるボルト穴４ａを、図６に示すように、車体前後方向に述べる長穴にすると良い。この場合には、長穴４ａにおける車体前後方向後方（客室から遠位の位置）にボルト１６を挿入する。
この場合には、ボルト１６が長穴４ａに沿って相対的に客室側に移動する分だけ、更に、クロスバー２に対してスペアタイヤは車体前後方向前方（客室側）に移動可能となり、さらに客室に掛かる衝撃加速度を軽減可能となる。
【００３８】
または、図７に示すように、車体側取付け部１４に設けるボルト穴４ａの車体前後方向前方を開放して客室側が開放された切欠き部１７としても良い。
この場合には、連結部材１２の上記撓み部分が真っ直ぐ（曲率が無限大）になって、連結部材１２を介してクロスバー２が突っ張ると、相対的にボルト１６が切欠き部１７に沿って客室側に移動し、さらに、衝撃が大きい場合には、切欠き部１７からボルト１６が外れることで車体側部材はより客室側に移動可能となり、さらに客室に掛かる衝撃加速度を軽減可能となる。
【００３９】
ここで、上記車体側取付け部１４を、当該車体側部材に設けた切欠き部１７を介してボルト１６締結する場合には、連結部材本体１５は車体前後方向に撓んでいる必要はない。この場合には、後方から大きな衝撃が入力されると、クロスバー２に対し切欠き部１７に沿ってボルト１６が客室側に移動し、さらに、衝撃が大きい場合には、切欠き部１７からボルト１６が外れることで車体側部材はより客室側に移動可能となって、客室に掛かる衝撃加速度を軽減可能となる。
【００４０】
なお、ボルト１６の軸力の最大値Ｆを１６７００Ｎ、摩擦係数μを０．１３とすると２本のボルト１６で支持可能な加重は、Ｎ＝０．１３×１６７００×２＝４３４２Ｎである。一方、車両衝突時の入力は、一般に８００００〜１０００００Ｎ程度であるため、大きな衝撃によって全てのボルト１６が切欠き部から抜ける。またボルト１６の数が３本以上であっても問題無いことが分かる。
【００４１】
また、クロスバー側取付け部１３を、クロスバー２にボルト締結する場合には、当該クロスバー側取付け部１３に設けるボルト穴を車体前後方向に沿って延びる長穴にすると良い。このとき、長穴における車体前後方向前方（客室から近位の位置）にボルトを配置する。この場合には、大きな衝撃が後方から入力された際に、相対的にボルトが長穴に沿って移動する分だけ、スペアタイヤパン４の移動が許容される。
【００４２】
または、クロスバー側取付け部１３をクロスバー２にボルト締結する場合に、当該クロスバー側取付け部１３に設けるボルト穴を、車体前後方向後方（客室から離れた側）に開放した切欠き部とすると良い。この場合には、大きな衝撃が後方から入力されると、スペアタイヤパン４と共に連結部材１２が車体前後方向前方に移動して、ボルトが切欠き部から抜けることで、クロスバー２がスペアタイヤパン４の客室側の移動に対して突っ張ることが防止される。
【００４３】
また、上記実施形態では、クロスバー２で連結する左右のメンバ取付けピン１間にスペアタイヤパン４の一部が配置されて、当該メンバ取付けピン１を支持する車体側部材の左右剛性が低い場合を例に挙げて説明しているが、これに限定されない。要は、メンバ取付けピン１を支持する車体側部材の左右剛性が低くければ、他の構造の車体構造であっても本発明は適用可能である。
【図面の簡単な説明】
【図１】本発明に基づく実施形態に係るサスペンションメンバ、クロスバー、及びメンバ取付けピンの配置関係を示す概略平面図である。
【図２】本発明に基づく実施形態に係るクロスバーを示す平面図である。
【図３】本発明に基づく実施形態に係るクロスバーを示す車体前後方向からみた図である。
【図４】本発明に基づく実施形態に係る連結部材を示す側面図である。
【図５】本発明に基づく実施形態に係る衝撃が入力されたときの連結部材を示す側面図である。
【図６】本実施形態の連結部材の別の例を示す平面図である。
【図７】本実施形態の連結部材の別の例を示す平面図である。
【図８】従来のクロスバーの配置を示す下面図である。
【符号の説明】
１    メンバ取付けピン
２    クロスバー
３    車体側クロスメンバ
４    スペアタイヤパン
６    サスペンションメンバ
６ａ  クロス部材
６ｂ  サイド部材
７    マウントインシュレータ
１０  バー本体
１１  ピン挿入部
１２  連結部材
１３  クロスバー側取付け部
１４  車体側取付け部
１４ａ  ボルト穴
１５  連結部材本体
１６  ボルト
１７  切欠き部
【図１】
0003613124.tif 000002
【図２】
0003613124.tif 000003
【図３】
0003613124.tif 000004
【図４】
0003613124.tif 000005
【図５】
0003613124.tif 000006
【図６】
0003613124.tif 000007
【図７】
0003613124.tif 000008
【図８】
0003613124.tif 000009